(57)【要約】【課題】本発明はビデオ通話機能を有する安全ヘルメットを開示した。【解決手段】安全ヘルメット外殻を含み、前記安全ヘルメット外殻の中にはヘルメットチャンバが設置され、前記ヘルメットチャンバの左端壁の中には蓄電池が固定的に設置され、前記蓄電池の右側には駆動溝が設置され、前記駆動溝の右端壁の中にはモータが固定的に設置され、前記モータが前記蓄電池と通電できるように連結され、前記モータの左端には駆動ギヤが動力が伝達できるように連結され、前記駆動溝の下側には環状のスライドチャンバが連通するように設置され、本発明は構成が簡単で、操作が便利で、ビデオ装置がヘルメットの外殻の下側に沿って回転でき、作業環境を自動的に撮り、ビデオブロックが回転過程において自転でき、これにより撮影の角度を調節でき、且つ照明灯により画面の解像度を上げ、作業実況をリアルタイムに伝送できる。【選択図】図１
2020183598.tif 000002
【特許請求の範囲】
【請求項１】
正面視で、安全ヘルメット外殻を含み、前記安全ヘルメット外殻の中にはヘルメットチャンバが設置され、前記ヘルメットチャンバの左端壁の中には蓄電池が固定的に設置され、前記蓄電池の右側には駆動溝が設置され、前記駆動溝の右端壁の中にはモータが固定的に設置され、前記モータが前記蓄電池と通電できるように連結され、前記モータの左端には駆動ギヤが動力が伝達できるように連結され、前記駆動溝の下側には環状のスライドチャンバが連通するように設置され、前記スライドチャンバの下端が外部空間に連通しており、前記スライドチャンバの中には前記駆動ギヤと噛み合っているスライダがスライドできるように設置され、前記スライダの上端面の中にはロック溝が設置され、前記ロック溝の下側には噛み合い溝が設置され、前記噛み合い溝の中には下端が外部空間に伸びている固定軸が回転できるように設置され、前記噛み合い溝の中の前記固定軸には第一ベベルギヤが固定的に設置され、前記第一ベベルギヤの左端面には第二ベベルギヤが噛み合うように連結され、前記第二ベベルギヤの軸心のところには右端が前記噛み合い溝の右端壁と  回転できるように連結されたギヤ回転軸が固定的に設置され、前記スライドチャンバの外側には転向調節装置が設置され、前記ギヤ回転軸が前記転向調節装置と動力が伝達できるように連結され、前記固定軸の下端面にはビデオ通話ブロックが固定的に設置され、前記ビデオ通話ブロックが前記安全ヘルメット外殻の下側位置に位置しており、前記ビデオ通話ブロックの中にはビデオ通話装置が設置され、前記ヘルメットチャンバの右端壁の中には外部空間に連通している環状溝が設置され、前記環状溝の中には環状板がスライドできるように設置され、前記環状板の右端には照明灯が設置され、前記照明灯が前記蓄電池と通電できるように連結され、前記環状溝の左側には同期ロック装置が設置され、前記環状板の左端が前記同期ロック装置と固定的に連結され、前記同期ロック装置が前記スライダとロックできるように連結され、
前記照明灯が暗い環境で作業する時に照明でき、前記ビデオ通話ブロックが前記安全ヘルメット外殻を回って回転して周りの環境を撮影でき、且つ画面をリアルタイムに外部に伝送し、前記同期ロック装置は前記照明灯と前記ビデオ通話ブロックとを連結する時、前記照明灯が同期照明できることを特徴とするビデオ通話機能を有する安全ヘルメット。
【請求項２】
前記転向調節装置は前記スライドチャンバに連通している環状の転向チャンバを含み、前記ギヤ回転軸の左端には噛み合いギヤが固定的に設置され、前記転向チャンバの中にはリングギヤがスライドできるように設置され、前記リングギヤが前記噛み合いギヤと噛み合うことができ、前記転向チャンバの左右端壁の中には環状の昇降ガイド溝が連通するように設置され、前記リングギヤの左右端には前記昇降ガイド溝とスライドできるように連結された昇降ガイドブロックが固定的に設置され、前記転向チャンバの下側には半環状の推し溝が設置され、前記推し溝の中には左右対称の推しブロックが設置され、前記推しブロックの上端が前記リングギヤと当接しており、前記推しブロックの前端面の間にはコンロッドが固定的に連結され、前記推し溝の右側には回転装置が設置され、右側の前記推しブロックが前記回転装置と噛み合うように連結され、
前記リングギヤが上昇して前記噛み合いギヤと噛み合う時、前記ビデオ通話ブロックが前記安全ヘルメット外殻に沿って公転する過程の中に自転してビデオ通話の方向を調節することを特徴とする請求項１に記載のビデオ通話機能を有する安全ヘルメット。
【請求項３】
前記回転装置は前記推し溝と外部空間とを連通している伝動チャンバを含み、前記伝動チャンバの中には回転軸により伝動ギヤが回転できるように設置され、前記伝動ギヤが右側の前記推しブロックと噛み合い、前記回転軸のうち前記伝動ギヤの前側に位置しているところにはウォームホイールが固定的に設置され、前記ウォームホイールの右側にはウォームが噛み合うように連結され、前記ウォームの軸心のところには連結軸が固定的に設置され、前記連結軸の下端が外部空間に伸びており、且つ前記連結軸の下端には第一回転ブロックが固定的に設置され、
前記第一回転ブロックを回転させて伝動により前記推しブロックを昇降させ、前記リングギヤと前記噛み合いギヤとの噛み合いと離脱を調節することを特徴とする請求項２に記載のビデオ通話機能を有する安全ヘルメット。
【請求項４】
前記ビデオ通話装置は前記ビデオ通話ブロックの右端面の中に固定的に設置されたカメラを含み、前記カメラの下側にはヘッドセットが設置され、前記ヘッドセットの左側には情報プロセッサが設置され、前記情報プロセッサの下側には取り外すことができる情報メモリーカードが設置され、前記ビデオ通話ブロックにある部品がいずれも前記蓄電池と通電できるように連結され、
前記カメラが撮影でき、前記ヘッドセットが音声を送ることができ、得た情報を前記情報メモリーカードの中に保存し、また前記情報プロセッサにより外部に輸送することを特徴とする請求項１に記載のビデオ通話機能を有する安全ヘルメット。
【請求項５】
前記同期ロック装置は前記環状溝に連通している回転チャンバを含み、前記回転チャンバの中には第二回転ブロックが設置され、前記環状板の左端が前記第二回転ブロックと固定的に連結され、前記回転チャンバの中の前記環状板には当接板がスライドできるように設置され、前記当接板と前記第二回転ブロックとの間には捻りバネが固定的に設置され、前記第二回転ブロックの中にはスライド溝が設置され、前記スライド溝の中にはロックブロックがスライドできるように設置され、前記ロックブロックが前記ロック溝と引っかかるように連結されることができ、前記ロックブロックの右端と前記スライド溝との間には圧縮バネが固定的に設置され、前記ロックブロックの上端面にはガイドスライドブロックが固定的に設置され、前記スライド溝の下側には引っ掛かり溝が設置され、前記環状溝の下端壁の中には圧し溝が連通するように設置され、前記圧し溝の中には上端が前記環状板と当接する圧しブロックがスライドできるように設置され、前記圧しブロックの左端面には前記圧しブロックを復帰させることができる復帰組み合わせが固定的に設置され、前記圧し溝と前記回転チャンバとの間には引っ掛かりブロックがスライドできるように設置され、前記引っ掛かりブロックの左端が前記引っ掛かり溝の中に伸びており、且つ前記引っ掛かりブロックの上端面には伸縮バネが固定的に設置され、前記引っ掛かりブロックの中には連通溝が設置され、前記連通溝が前記圧しブロックの下端と当接しており、前記引っ掛かりブロックの後端面には前記引っ掛かりブロックを復帰させることができる復帰部品が固定的に設置され、
前記伸縮バネが前記第二回転ブロックを支持し、且つ前記伸縮バネが圧縮されることにより前記第二回転ブロックが下降する過程において前記引っ掛かりブロックの水平移動変位を平衡させ、前記環状板を下方へ押して前記第二回転ブロックと前記スライダとをロックするように連結し、これにより前記スライダが回転して前記カメラと前記照明灯とを同期回転させることを特徴とする請求項１に記載のビデオ通話機能を有する安全ヘルメット。
【発明の詳細な説明】
【技術分野】
【０００１】
本発明は労働保護用品技術分野を取り上げて、具体的にはビデオ通話機能を有する安全ヘルメットである。
【背景技術】
【０００２】
現有のビデオ伝送及び撮影機能を有する安全ヘルメットは、その撮影装着ブロックの位置が固定され、周りの環境によりカスタマイズで自動的に位置を調節できなく、且つ撮影装置の装着位置が固定され、安全ヘルメットの使用に影響し、そのため、現有技術の中の安全ヘルメットを更に改善する必要があり、これにより安全ヘルメットの作業実況の伝送の効率と伝送の安定性を向上させる。
【先行技術文献】
【特許文献】
【０００３】
【特許文献１】中国特許出願公開第１０３５０４６８７号明細書
【発明の概要】
【発明が解決しようとする課題】
【０００４】
本発明はビデオ通話機能を有する安全ヘルメットを提供し、従来技術における上記欠点を解消することを目的とする。
【課題を解決するための手段】
【０００５】
本発明のビデオ通話機能を有する安全ヘルメットは、安全ヘルメット外殻を含み、前記安全ヘルメット外殻の中にはヘルメットチャンバが設置され、前記ヘルメットチャンバの左端壁の中には蓄電池が固定的に設置され、前記蓄電池の右側には駆動溝が設置され、前記駆動溝の右端壁の中にはモータが固定的に設置され、前記モータが前記蓄電池と通電できるように連結され、前記モータの左端には駆動ギヤが動力が伝達できるように連結され、前記駆動溝の下側には環状のスライドチャンバが連通するように設置され、前記スライドチャンバの下端が外部空間に連通しており、前記スライドチャンバの中には前記駆動ギヤと噛み合っているスライダがスライドできるように設置され、前記スライダの上端面の中にはロック溝が設置され、前記ロック溝の下側には噛み合い溝が設置され、前記噛み合い溝の中には下端が外部空間に伸びている固定軸が回転できるように設置され、前記噛み合い溝の中の前記固定軸には第一ベベルギヤが固定的に設置され、前記第一ベベルギヤの左端面には第二ベベルギヤが噛み合うように連結され、前記第二ベベルギヤの軸心のところには右端が前記噛み合い溝の右端壁と  回転できるように連結されたギヤ回転軸が固定的に設置され、前記スライドチャンバの外側には転向調節装置が設置され、前記ギヤ回転軸が前記転向調節装置と動力が伝達できるように連結され、前記固定軸の下端面にはビデオ通話ブロックが固定的に設置され、前記ビデオ通話ブロックが前記安全ヘルメット外殻の下側位置に位置しており、前記ビデオ通話ブロックの中にはビデオ通話装置が設置され、前記ヘルメットチャンバの右端壁の中には外部空間に連通している環状溝が設置され、前記環状溝の中には環状板がスライドできるように設置され、前記環状板の右端には照明灯が設置され、前記照明灯が前記蓄電池と通電できるように連結され、前記環状溝の左側には同期ロック装置が設置され、前記環状板の左端が前記同期ロック装置と固定的に連結され、前記同期ロック装置が前記スライダとロックできるように連結され、
前記照明灯が暗い環境で作業する時に照明でき、前記ビデオ通話ブロックが前記安全ヘルメット外殻を回って回転して周りの環境を撮影でき、且つ画面をリアルタイムに外部に伝送し、前記同期ロック装置は前記照明灯と前記ビデオ通話ブロックとを連結する時、前記照明灯が同期照明できる。
【０００６】
更の技術プランとしては、前記転向調節装置は前記スライドチャンバに連通している環状の転向チャンバを含み、前記ギヤ回転軸の左端には噛み合いギヤが固定的に設置され、前記転向チャンバの中にはリングギヤがスライドできるように設置され、前記リングギヤが前記噛み合いギヤと噛み合うことができ、前記転向チャンバの左右端壁の中には環状の昇降ガイド溝が連通するように設置され、前記リングギヤの左右端には前記昇降ガイド溝とスライドできるように連結された昇降ガイドブロックが固定的に設置され、前記転向チャンバの下側には半環状の推し溝が設置され、前記推し溝の中には左右対称の推しブロックが設置され、前記推しブロックの上端が前記リングギヤと当接しており、前記推しブロックの前端面の間にはコンロッドが固定的に連結され、前記推し溝の右側には回転装置が設置され、右側の前記推しブロックが前記回転装置と噛み合うように連結され、
前記リングギヤが上昇して前記噛み合いギヤと噛み合う時、前記ビデオ通話ブロックが前記安全ヘルメット外殻に沿って公転する過程の中に自転してビデオ通話の方向を調節する。
【０００７】
更の技術プランとしては、前記回転装置は前記推し溝と外部空間とを連通している伝動チャンバを含み、前記伝動チャンバの中には回転軸により伝動ギヤが回転できるように設置され、前記伝動ギヤが右側の前記推しブロックと噛み合い、前記回転軸のうち前記伝動ギヤの前側に位置しているところにはウォームホイールが固定的に設置され、前記ウォームホイールの右側にはウォームが噛み合うように連結され、前記ウォームの軸心のところには連結軸が固定的に設置され、前記連結軸の下端が外部空間に伸びており、且つ前記連結軸の下端には第一回転ブロックが固定的に設置され、
前記第一回転ブロックを回転させて伝動により前記推しブロックを昇降させ、前記ギヤと前記噛み合いギヤとの噛み合いと離脱を調節する。
【０００８】
更の技術プランとしては、前記ビデオ通話装置は前記ビデオ通話ブロックの右端面の中に固定的に設置されたカメラを含み、前記カメラの下側にはヘッドセットが設置され、前記ヘッドセットの左側には情報プロセッサが設置され、前記情報プロセッサの下側には取り外すことができる情報メモリーカードが設置され、前記ビデオ通話ブロックにある部品がいずれも前記蓄電池と通電できるように連結され、
前記カメラが撮影でき、前記ヘッドセットが音声を送ることができ、得た情報を前記情報メモリーカードの中に保存し、また前記情報プロセッサにより外部に輸送する。
【０００９】
更の技術プランとしては、前記同期ロック装置は前記環状溝に連通している回転チャンバを含み、前記回転チャンバの中には第二回転ブロックが設置され、前記環状板の左端が前記第二回転ブロックと固定的に連結され、前記回転チャンバの中の前記環状板には当接板がスライドできるように設置され、前記当接板と前記第二回転ブロックとの間には捻りバネが固定的に設置され、前記第二回転ブロックの中にはスライド溝が設置され、前記スライド溝の中にはロックブロックがスライドできるように設置され、前記ロックブロックが前記ロック溝と引っかかるように連結されることができ、前記ロックブロックの右端と前記スライド溝との間には圧縮バネが固定的に設置され、前記ロックブロックの上端面にはガイドスライドブロックが固定的に設置され、前記スライド溝の下側には引っ掛かり溝が設置され、前記環状溝の下端壁の中には圧し溝が連通するように設置され、前記圧し溝の中には上端が前記環状板と当接する圧しブロックがスライドできるように設置され、前記圧しブロックの左端面には前記圧しブロックを復帰させることができる復帰組み合わせが固定的に設置され、前記圧し溝と前記回転チャンバとの間には引っ掛かりブロックがスライドできるように設置され、前記引っ掛かりブロックの左端が前記引っ掛かり溝の中に伸びており、且つ前記引っ掛かりブロックの上端面には伸縮バネが固定的に設置され、前記引っ掛かりブロックの中には連通溝が設置され、前記連通溝が前記圧しブロックの下端と当接しており、前記引っ掛かりブロックの後端面には前記引っ掛かりブロックを復帰させることができる復帰部品が固定的に設置され、
前記伸縮バネが前記第二回転ブロックを支持し、且つ前記伸縮バネが圧縮されることにより前記第二回転ブロックが下降する過程において前記引っ掛かりブロックの水平移動変位を平衡させ、前記環状板を下方へ押して前記第二回転ブロックと前記スライダとをロックするように連結し、これにより前記スライダが回転して前記カメラと前記照明灯とを同期回転させる。
【発明の効果】
【００１０】
本発明の有益効果は：本発明は構成が簡単で、操作が便利で、ビデオ装置がヘルメットの外殻の下側に沿って回転でき、作業環境を自動的に撮り、ビデオブロックが回転過程において自転でき、これにより撮影の角度を調節でき、且つ照明灯により画面の解像度を上げ、作業実況をリアルタイムに伝送できる。
【図面の簡単な説明】
【００１１】
下記に図１〜６をあわせて本発明について詳しく説明し、正面視で、安全ヘルメット外殻１０とビデオ通話ブロック２１とを有するビデオ通話機能を有する安全ヘルメットであって、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のビデオ通話機能を有する安全ヘルメットの内部全体構成模式図
【図２】図２は本発明の図１の「Ａ」の拡大構成模式図
【図３】図３は本発明の図１の「Ｂ」の拡大構成模式図
【図４】図４は本発明の図３の「Ｃ―Ｃ」方向の構成模式図
【図５】図５は本発明の図３の「Ｄ」の拡大構成模式図
【図６】図６は本発明の図５の「Ｅ―Ｅ」方向の構成模式図
【発明を実施するための形態】
【００１３】
図１〜６を参照し、本発明の実施例のビデオ通話機能を有する安全ヘルメットは、安全ヘルメット外殻１０を含み、前記安全ヘルメット外殻１０の中にはヘルメットチャンバ１１が設置され、前記ヘルメットチャンバ１１の左端壁の中には蓄電池６３が固定的に設置され、前記蓄電池６３の右側には駆動溝１３が設置され、前記駆動溝１３の右端壁の中にはモータ３６が固定的に設置され、前記モータ３６が前記蓄電池６３と通電できるように連結され、前記モータ３６の左端には駆動ギヤ１４が動力が伝達できるように連結され、前記駆動溝１３の下側には環状のスライドチャンバ１２が連通するように設置され、前記スライドチャンバ１２の下端が外部空間に連通しており、前記スライドチャンバ１２の中には前記駆動ギヤ１４と噛み合っているスライダ１５がスライドできるように設置され、前記スライダ１５の上端面の中にはロック溝１６が設置され、前記ロック溝１６の下側には噛み合い溝１８が設置され、前記噛み合い溝１８の中には下端が外部空間に伸びている固定軸２０が回転できるように設置され、前記噛み合い溝１８の中の前記固定軸２０には第一ベベルギヤ１９が固定的に設置され、前記第一ベベルギヤ１９の左端面には第二ベベルギヤ２６が噛み合うように連結され、前記第二ベベルギヤ２６の軸心のところには右端が前記噛み合い溝１８の右端壁と  回転できるように連結されたギヤ回転軸２９が固定的に設置され、前記スライドチャンバ１２の外側には転向調節装置１００が設置され、前記ギヤ回転軸２９が前記転向調節装置１００と動力が伝達できるように連結され、前記固定軸２０の下端面にはビデオ通話ブロック２１が固定的に設置され、前記ビデオ通話ブロック２１が前記安全ヘルメット外殻１０の下側位置に位置しており、前記ビデオ通話ブロック２１の中にはビデオ通話装置２００が設置され、前記ヘルメットチャンバ１１の右端壁の中には外部空間に連通している環状溝５７が設置され、前記環状溝５７の中には環状板６１がスライドできるように設置され、前記環状板６１の右端には照明灯４４が設置され、前記照明灯４４が前記蓄電池６３と通電できるように連結され、前記環状溝５７の左側には同期ロック装置３００が設置され、前記環状板６１の左端が前記同期ロック装置３００と固定的に連結され、前記同期ロック装置３００が前記スライダ１５とロックできるように連結され、
前記照明灯４４が暗い環境で作業する時に照明でき、前記ビデオ通話ブロック２１が前記安全ヘルメット外殻１０を回って回転して周りの環境を撮影でき、且つ画面をリアルタイムに外部に伝送し、前記同期ロック装置３００は前記照明灯４４と前記ビデオ通話ブロック２１とを連結する時、前記照明灯が同期照明できる。
【００１４】
有益的には、前記転向調節装置１００は前記スライドチャンバ１２に連通している環状の転向チャンバ２７を含み、前記ギヤ回転軸２９の左端には噛み合いギヤ２８が固定的に設置され、前記転向チャンバ２７の中にはリングギヤ３０がスライドできるように設置され、前記リングギヤ３０が前記噛み合いギヤ２８と噛み合うことができ、前記転向チャンバ２７の左右端壁の中には環状の昇降ガイド溝３２が連通するように設置され、前記リングギヤ３０の左右端には前記昇降ガイド溝３２とスライドできるように連結された昇降ガイドブロック３１が固定的に設置され、前記転向チャンバ２７の下側には半環状の推し溝３５が設置され、前記推し溝３５の中には左右対称の推しブロック３３が設置され、前記推しブロック３３の上端が前記リングギヤ３０と当接しており、前記推しブロック３３の前端面の間にはコンロッド３４が固定的に連結され、前記推し溝３５の右側には回転装置４００が設置され、右側の前記推しブロック３３が前記回転装置４００と噛み合うように連結され、
前記リングギヤ３０が上昇して前記噛み合いギヤ２８と噛み合う時、前記ビデオ通話ブロック２１が前記安全ヘルメット外殻１０に沿って公転する過程の中に自転してビデオ通話の方向を調節する。
【００１５】
有益的には、前記回転装置４００は前記推し溝３５と外部空間とを連通している伝動チャンバ３７を含み、前記伝動チャンバ３７の中には回転軸４３により伝動ギヤ３９が回転できるように設置され、前記伝動ギヤ３９が右側の前記推しブロック３３と噛み合い、前記回転軸４３のうち前記伝動ギヤ３９の前側に位置しているところにはウォームホイール３８が固定的に設置され、前記ウォームホイール３８の右側にはウォーム４０が噛み合うように連結され、前記ウォーム４０の軸心のところには連結軸４１が固定的に設置され、前記連結軸４１の下端が外部空間に伸びており、且つ前記連結軸４１の下端には第一回転ブロック４２が固定的に設置され、
前記第一回転ブロック４２を回転させて伝動により前記推しブロック３３を昇降させ、前記リングギヤ３０と前記噛み合いギヤ２８との噛み合いと離脱を調節する。
【００１６】
有益的には、前記ビデオ通話装置２００は前記ビデオ通話ブロック２１の右端面の中に固定的に設置されたカメラ２２を含み、前記カメラ２２の下側にはヘッドセット２３が設置され、前記ヘッドセット２３の左側には情報プロセッサ２４が設置され、前記情報プロセッサ２４の下側には取り外すことができる情報メモリーカード２５が設置され、前記ビデオ通話ブロック２１にある部品がいずれも前記蓄電池６３と通電できるように連結され、
前記カメラ２２が撮影でき、前記ヘッドセット２３が音声を送ることができ、得た情報を前記情報メモリーカード２５の中に保存し、また前記情報プロセッサ２４により外部に輸送する。
【００１７】
有益的には、前記同期ロック装置３００は前記環状溝５７に連通している回転チャンバ４５を含み、前記回転チャンバ４５の中には第二回転ブロック４６が設置され、前記環状板６１の左端が前記第二回転ブロック４６と固定的に連結され、前記回転チャンバ４５の中の前記環状板６１には当接板６０がスライドできるように設置され、前記当接板６０と前記第二回転ブロック４６との間には捻りバネ５９が固定的に設置され、前記第二回転ブロック４６の中にはスライド溝４７が設置され、前記スライド溝４７の中にはロックブロック４８がスライドできるように設置され、前記ロックブロック４８が前記ロック溝１６と引っかかるように連結されることができ、前記ロックブロック４８の右端と前記スライド溝４７との間には圧縮バネ４９が固定的に設置され、前記ロックブロック４８の上端面にはガイドスライドブロック５０が固定的に設置され、前記スライド溝４７の下側には引っ掛かり溝５１が設置され、前記環状溝５７の下端壁の中には圧し溝５５が連通するように設置され、前記圧し溝５５の中には上端が前記環状板６１と当接する圧しブロック５６がスライドできるように設置され、前記圧しブロック５６の左端面には前記圧しブロック５６を復帰させることができる復帰組み合わせ５８が固定的に設置され、前記圧し溝５５と前記回転チャンバ４５との間には引っ掛かりブロック５２がスライドできるように設置され、前記引っ掛かりブロック５２の左端が前記引っ掛かり溝５１の中に伸びており、且つ前記引っ掛かりブロック５２の上端面には伸縮バネ５３が固定的に設置され、前記引っ掛かりブロック５２の中には連通溝５４が設置され、前記連通溝５４が前記圧しブロック５６の下端と当接しており、前記引っ掛かりブロック５２の後端面には前記引っ掛かりブロック５２を復帰させることができる復帰部品６２が固定的に設置され、
前記伸縮バネ５３が前記第二回転ブロック４６を支持し、且つ前記伸縮バネ５３が圧縮されることにより前記第二回転ブロック４６が下降する過程において前記引っ掛かりブロック５２の水平移動変位を平衡させ、前記環状板６１を下方へ押して前記第二回転ブロック４６と前記スライダ１５とをロックするように連結し、これにより前記スライダ１５が回転して前記カメラ２２と前記照明灯４４とを同期回転させる。
【００１８】
初期状態において、駆動ギヤ１４がスライダ１５と噛み合っており、噛み合いギヤ２８がリングギヤ３０と連結されていない。
【００１９】
作動する時、夜又は暗い環境で作業する時、照明灯４４が照明でき、ビデオ通話をする時、モータ３６が作動し、駆動ギヤ１４が回転し、これによりスライダ１５がスライドチャンバ１２に沿って回転し、カメラ２２の撮影方位を調節し、第一回転ブロック４２を回転させ、これによりウォーム４０が伝動ギヤ３９を連動させて回転させ、推しブロック３３が上昇してリングギヤ３０を推し動かして噛み合いギヤ２８と噛み合わせ、これによりスライダ１５が回転し、噛み合いギヤ２８が回転し、これにより第一ベベルギヤ１９がビデオ通話ブロック２１を連動させて回転させ、これによりカメラ２２が自転して角度を調節でき、情報プロセッサ２４により外部空間のディスプレー装置に通じ、カメラ２２が作業環境をリアルタイムに外部空間に出力し、ヘッドセット２３により音声通話をして作業する時の問題をリアルタイムに報告し、ビデオ通話ブロック２１を回転チャンバ４５の下側の対応した位置まで回転させ、照明灯４４を下方へ圧し、環状板６１が圧しブロック５６を押して下降させ、これにより引っ掛かりブロック５２が右方へ移動して引っ掛かり溝５１から離脱し、これにより第二回転ブロック４６が昇降でき、照明灯４４を継続して下降させ、これによりロックブロック４８がロック溝１６と引っかかるように連結されるまで下降し、これによりスライダ１５が回転して照明灯４４とビデオ通話ブロック２１とを連動させて同期回転させ、カメラ２２のビデオ通話の解像度を上げ、第二回転ブロック４６とスライダ１５とをアンロックする時、右方へ照明灯４４を引き動かし、これにより第二回転ブロック４６がロック溝１６との引っ掛かり状態から離脱した後、照明灯４４を上方へ推し、これにより第二回転ブロック４６が回転チャンバ４５の中まで上昇し、引っ掛かりブロック５２が左方へ移動して引っ掛かり溝５１と引っ掛かるように連結され、装置が初期状態に戻る。
【００２０】
本発明の有益効果は：本発明は構成が簡単で、操作が便利で、ビデオ装置がヘルメットの外殻の下側に沿って回転でき、作業環境を自動的に撮り、ビデオブロックが回転過程において自転でき、これにより撮影の角度を調節でき、且つ照明灯により画面の解像度を上げ、作業実況をリアルタイムに伝送できる。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183598.tif 000003
【図２】
2020183598.tif 000004
【図３】
2020183598.tif 000005
【図４】
2020183598.tif 000006
【図５】
2020183598.tif 000007
【図６】
2020183598.tif 000008
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
正面視で、安全ヘルメット外殻を含み、前記安全ヘルメット外殻の中にはヘルメットチャンバが設置され、前記ヘルメットチャンバの左端壁の中には蓄電池が固定的に設置され、前記蓄電池の右側には駆動溝が設置され、前記駆動溝の右端壁の中にはモータが固定的に設置され、前記モータが前記蓄電池と通電できるように連結され、前記モータの左端には駆動ギヤが動力が伝達できるように連結され、前記駆動溝の下側には環状のスライドチャンバが連通するように設置され、前記スライドチャンバの下端が外部空間に連通しており、前記スライドチャンバの中には前記駆動ギヤと噛み合っているスライダがスライドできるように設置され、前記スライダの上端面の中にはロック溝が設置され、前記ロック溝の下側には噛み合い溝が設置され、前記噛み合い溝の中には下端が外部空間に伸びている固定軸が回転できるように設置され、前記噛み合い溝の中の前記固定軸には第一ベベルギヤが固定的に設置され、前記第一ベベルギヤの左端面には第二ベベルギヤが噛み合うように連結され、前記第二ベベルギヤの軸心のところには右端が前記噛み合い溝の右端壁と回転できるように連結されたギヤ回転軸が固定的に設置され、前記スライドチャンバの外側には転向調節装置が設置され、前記ギヤ回転軸が前記転向調節装置と動力が伝達できるように連結され、前記固定軸の下端面にはビデオ通話ブロックが固定的に設置され、前記ビデオ通話ブロックが前記安全ヘルメット外殻の下側位置に位置しており、前記ビデオ通話ブロックの中にはビデオ通話装置が設置され、前記ヘルメットチャンバの右端壁の中には外部空間に連通している環状溝が設置され、前記環状溝の中には環状板がスライドできるように設置され、前記環状板の右端には照明灯が設置され、前記照明灯が前記蓄電池と通電できるように連結され、前記環状溝の左側には同期ロック装置が設置され、前記環状板の左端が前記同期ロック装置と固定的に連結され、前記同期ロック装置が前記スライダとロックできるように連結され、前記照明灯が暗い環境で作業する時に照明でき、前記ビデオ通話ブロックが前記安全ヘルメット外殻を回って回転して周りの環境を撮影でき、且つ画面をリアルタイムに外部に伝送し、前記同期ロック装置は前記照明灯と前記ビデオ通話ブロックとを連結する時、前記照明灯が同期照明でき、
前記転向調節装置は前記スライドチャンバに連通している環状の転向チャンバを含み、前記ギヤ回転軸の左端には噛み合いギヤが固定的に設置され、前記転向チャンバの中にはリングギヤがスライドできるように設置され、前記リングギヤが前記噛み合いギヤと噛み合うことができ、前記転向チャンバの左右端壁の中には環状の昇降ガイド溝が連通するように設置され、前記リングギヤの左右端には前記昇降ガイド溝とスライドできるように連結された昇降ガイドブロックが固定的に設置され、前記転向チャンバの下側には半環状の推し溝が設置され、前記推し溝の中には左右対称の推しブロックが設置され、前記推しブロックの上端が前記リングギヤと当接しており、前記推しブロックの前端面の間にはコンロッドが固定的に連結され、前記推し溝の右側には回転装置が設置され、右側の前記推しブロックが前記回転装置と噛み合うように連結され、前記リングギヤが上昇して前記噛み合いギヤと噛み合う時、前記ビデオ通話ブロックが前記安全ヘルメット外殻に沿って公転する過程の中に自転してビデオ通話の方向を調節し、
前記回転装置は前記推し溝と外部空間とを連通している伝動チャンバを含み、前記伝動チャンバの中には回転軸により伝動ギヤが回転できるように設置され、前記伝動ギヤが右側の前記推しブロックと噛み合い、前記回転軸のうち前記伝動ギヤの前側に位置しているところにはウォームホイールが固定的に設置され、前記ウォームホイールの右側にはウォームが噛み合うように連結され、前記ウォームの軸心のところには連結軸が固定的に設置され、前記連結軸の下端が外部空間に伸びており、且つ前記連結軸の下端には第一回転ブロックが固定的に設置され、前記第一回転ブロックを回転させて伝動により前記推しブロックを昇降させ、前記リングギヤと前記噛み合いギヤとの噛み合いと離脱を調節し、
前記ビデオ通話装置は前記ビデオ通話ブロックの右端面の中に固定的に設置されたカメラを含み、前記カメラの下側にはヘッドセットが設置され、前記ヘッドセットの左側には情報プロセッサが設置され、前記情報プロセッサの下側には取り外すことができる情報メモリーカードが設置され、前記ビデオ通話ブロックにある部品がいずれも前記蓄電池と通電できるように連結され、前記カメラが撮影でき、前記ヘッドセットが音声を送ることができ、得た情報を前記情報メモリーカードの中に保存し、また前記情報プロセッサにより外部に輸送し、
前記同期ロック装置は前記環状溝に連通している回転チャンバを含み、前記回転チャンバの中には第二回転ブロックが設置され、前記環状板の左端が前記第二回転ブロックと固定的に連結され、前記回転チャンバの中の前記環状板には当接板がスライドできるように設置され、前記当接板と前記第二回転ブロックとの間には捻りバネが固定的に設置され、前記第二回転ブロックの中にはスライド溝が設置され、前記スライド溝の中にはロックブロックがスライドできるように設置され、前記ロックブロックが前記ロック溝と引っかかるように連結されることができ、前記ロックブロックの右端と前記スライド溝との間には圧縮バネが固定的に設置され、前記ロックブロックの上端面にはガイドスライドブロックが固定的に設置され、前記スライド溝の下側には引っ掛かり溝が設置され、前記環状溝の下端壁の中には圧し溝が連通するように設置され、前記圧し溝の中には上端が前記環状板と当接する圧しブロックがスライドできるように設置され、前記圧しブロックの左端面には前記圧しブロックを復帰させることができる復帰組み合わせが固定的に設置され、前記圧し溝と前記回転チャンバとの間には引っ掛かりブロックがスライドできるように設置され、前記引っ掛かりブロックの左端が前記引っ掛かり溝の中に伸びており、且つ前記引っ掛かりブロックの上端面には伸縮バネが固定的に設置され、前記引っ掛かりブロックの中には連通溝が設置され、前記連通溝が前記圧しブロックの下端と当接しており、前記引っ掛かりブロックの後端面には前記引っ掛かりブロックを復帰させることができる復帰部品が固定的に設置され、前記伸縮バネが前記第二回転ブロックを支持し、且つ前記伸縮バネが圧縮されることにより前記第二回転ブロックが下降する過程において前記引っ掛かりブロックの水平移動変位を平衡させ、前記環状板を下方へ押して前記第二回転ブロックと前記スライダとをロックするように連結し、これにより前記スライダが回転して前記カメラと前記照明灯とを同期回転させることを特徴とするビデオ通話機能を有する安全ヘルメット。
【手続補正２】
【補正対象書類名】明細書
【補正対象項目名】全文
【補正方法】変更
【補正の内容】
【発明の詳細な説明】
【技術分野】
【０００１】
本発明は労働保護用品技術分野を取り上げて、具体的にはビデオ通話機能を有する安全ヘルメットである。
【背景技術】
【０００２】
現有のビデオ伝送及び撮影機能を有する安全ヘルメットは、その撮影装着ブロックの位置が固定され、周りの環境によりカスタマイズで自動的に位置を調節できなく、且つ撮影装置の装着位置が固定され、安全ヘルメットの使用に影響し、そのため、現有技術の中の安全ヘルメットを更に改善する必要があり、これにより安全ヘルメットの作業実況の伝送の効率と伝送の安定性を向上させる。
【先行技術文献】
【特許文献】
【０００３】
【特許文献１】中国特許出願公開第１０３５０４６８７号明細書
【発明の概要】
【発明が解決しようとする課題】
【０００４】
本発明はビデオ通話機能を有する安全ヘルメットを提供し、従来技術における上記欠点を解消することを目的とする。
【課題を解決するための手段】
【０００５】
本発明のビデオ通話機能を有する安全ヘルメットは、安全ヘルメット外殻を含み、前記安全ヘルメット外殻の中にはヘルメットチャンバが設置され、前記ヘルメットチャンバの左端壁の中には蓄電池が固定的に設置され、前記蓄電池の右側には駆動溝が設置され、前記駆動溝の右端壁の中にはモータが固定的に設置され、前記モータが前記蓄電池と通電できるように連結され、前記モータの左端には駆動ギヤが動力が伝達できるように連結され、前記駆動溝の下側には環状のスライドチャンバが連通するように設置され、前記スライドチャンバの下端が外部空間に連通しており、前記スライドチャンバの中には前記駆動ギヤと噛み合っているスライダがスライドできるように設置され、前記スライダの上端面の中にはロック溝が設置され、前記ロック溝の下側には噛み合い溝が設置され、前記噛み合い溝の中には下端が外部空間に伸びている固定軸が回転できるように設置され、前記噛み合い溝の中の前記固定軸には第一ベベルギヤが固定的に設置され、前記第一ベベルギヤの左端面には第二ベベルギヤが噛み合うように連結され、前記第二ベベルギヤの軸心のところには右端が前記噛み合い溝の右端壁と回転できるように連結されたギヤ回転軸が固定的に設置され、前記スライドチャンバの外側には転向調節装置が設置され、前記ギヤ回転軸が前記転向調節装置と動力が伝達できるように連結され、前記固定軸の下端面にはビデオ通話ブロックが固定的に設置され、前記ビデオ通話ブロックが前記安全ヘルメット外殻の下側位置に位置しており、前記ビデオ通話ブロックの中にはビデオ通話装置が設置され、前記ヘルメットチャンバの右端壁の中には外部空間に連通している環状溝が設置され、前記環状溝の中には環状板がスライドできるように設置され、前記環状板の右端には照明灯が設置され、前記照明灯が前記蓄電池と通電できるように連結され、前記環状溝の左側には同期ロック装置が設置され、前記環状板の左端が前記同期ロック装置と固定的に連結され、前記同期ロック装置が前記スライダとロックできるように連結され、前記照明灯が暗い環境で作業する時に照明でき、前記ビデオ通話ブロックが前記安全ヘルメット外殻を回って回転して周りの環境を撮影でき、且つ画面をリアルタイムに外部に伝送し、前記同期ロック装置は前記照明灯と前記ビデオ通話ブロックとを連結する時、前記照明灯が同期照明できる。
【０００６】
更の技術プランとしては、前記転向調節装置は前記スライドチャンバに連通している環状の転向チャンバを含み、前記ギヤ回転軸の左端には噛み合いギヤが固定的に設置され、前記転向チャンバの中にはリングギヤがスライドできるように設置され、前記リングギヤが前記噛み合いギヤと噛み合うことができ、前記転向チャンバの左右端壁の中には環状の昇降ガイド溝が連通するように設置され、前記リングギヤの左右端には前記昇降ガイド溝とスライドできるように連結された昇降ガイドブロックが固定的に設置され、前記転向チャンバの下側には半環状の推し溝が設置され、前記推し溝の中には左右対称の推しブロックが設置され、前記推しブロックの上端が前記リングギヤと当接しており、前記推しブロックの前端面の間にはコンロッドが固定的に連結され、前記推し溝の右側には回転装置が設置され、右側の前記推しブロックが前記回転装置と噛み合うように連結され、前記リングギヤが上昇して前記噛み合いギヤと噛み合う時、前記ビデオ通話ブロックが前記安全ヘルメット外殻に沿って公転する過程の中に自転してビデオ通話の方向を調節する。
【０００７】
更の技術プランとしては、前記回転装置は前記推し溝と外部空間とを連通している伝動チャンバを含み、前記伝動チャンバの中には回転軸により伝動ギヤが回転できるように設置され、前記伝動ギヤが右側の前記推しブロックと噛み合い、前記回転軸のうち前記伝動ギヤの前側に位置しているところにはウォームホイールが固定的に設置され、前記ウォームホイールの右側にはウォームが噛み合うように連結され、前記ウォームの軸心のところには連結軸が固定的に設置され、前記連結軸の下端が外部空間に伸びており、且つ前記連結軸の下端には第一回転ブロックが固定的に設置され、前記第一回転ブロックを回転させて伝動により前記推しブロックを昇降させ、前記ギヤと前記噛み合いギヤとの噛み合いと離脱を調節する。
【０００８】
更の技術プランとしては、前記ビデオ通話装置は前記ビデオ通話ブロックの右端面の中に固定的に設置されたカメラを含み、前記カメラの下側にはヘッドセットが設置され、前記ヘッドセットの左側には情報プロセッサが設置され、前記情報プロセッサの下側には取り外すことができる情報メモリーカードが設置され、前記ビデオ通話ブロックにある部品がいずれも前記蓄電池と通電できるように連結され、前記カメラが撮影でき、前記ヘッドセットが音声を送ることができ、得た情報を前記情報メモリーカードの中に保存し、また前記情報プロセッサにより外部に輸送する。
【０００９】
更の技術プランとしては、前記同期ロック装置は前記環状溝に連通している回転チャンバを含み、前記回転チャンバの中には第二回転ブロックが設置され、前記環状板の左端が前記第二回転ブロックと固定的に連結され、前記回転チャンバの中の前記環状板には当接板がスライドできるように設置され、前記当接板と前記第二回転ブロックとの間には捻りバネが固定的に設置され、前記第二回転ブロックの中にはスライド溝が設置され、前記スライド溝の中にはロックブロックがスライドできるように設置され、前記ロックブロックが前記ロック溝と引っかかるように連結されることができ、前記ロックブロックの右端と前記スライド溝との間には圧縮バネが固定的に設置され、前記ロックブロックの上端面にはガイドスライドブロックが固定的に設置され、前記スライド溝の下側には引っ掛かり溝が設置され、前記環状溝の下端壁の中には圧し溝が連通するように設置され、前記圧し溝の中には上端が前記環状板と当接する圧しブロックがスライドできるように設置され、前記圧しブロックの左端面には前記圧しブロックを復帰させることができる復帰組み合わせが固定的に設置され、前記圧し溝と前記回転チャンバとの間には引っ掛かりブロックがスライドできるように設置され、前記引っ掛かりブロックの左端が前記引っ掛かり溝の中に伸びており、且つ前記引っ掛かりブロックの上端面には伸縮バネが固定的に設置され、前記引っ掛かりブロックの中には連通溝が設置され、前記連通溝が前記圧しブロックの下端と当接しており、前記引っ掛かりブロックの後端面には前記引っ掛かりブロックを復帰させることができる復帰部品が固定的に設置され、前記伸縮バネが前記第二回転ブロックを支持し、且つ前記伸縮バネが圧縮されることにより前記第二回転ブロックが下降する過程において前記引っ掛かりブロックの水平移動変位を平衡させ、前記環状板を下方へ押して前記第二回転ブロックと前記スライダとをロックするように連結し、これにより前記スライダが回転して前記カメラと前記照明灯とを同期回転させる。
【発明の効果】
【００１０】
本発明の有益効果は：本発明は構成が簡単で、操作が便利で、ビデオ装置がヘルメットの外殻の下側に沿って回転でき、作業環境を自動的に撮り、ビデオブロックが回転過程において自転でき、これにより撮影の角度を調節でき、且つ照明灯により画面の解像度を上げ、作業実況をリアルタイムに伝送できる。
【図面の簡単な説明】
【００１１】
下記に図１〜６をあわせて本発明について詳しく説明し、正面視で、安全ヘルメット外殻１０とビデオ通話ブロック２１とを有するビデオ通話機能を有する安全ヘルメットであって、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のビデオ通話機能を有する安全ヘルメットの内部全体構成模式図
【図２】図２は本発明の図１の「Ａ」の拡大構成模式図
【図３】図３は本発明の図１の「Ｂ」の拡大構成模式図
【図４】図４は本発明の図３の「Ｃ―Ｃ」方向の構成模式図
【図５】図５は本発明の図３の「Ｄ」の拡大構成模式図
【図６】図６は本発明の図５の「Ｅ―Ｅ」方向の構成模式図
【発明を実施するための形態】
【００１３】
図１〜６を参照し、本発明の実施例のビデオ通話機能を有する安全ヘルメットは、安全ヘルメット外殻１０を含み、前記安全ヘルメット外殻１０の中にはヘルメットチャンバ１１が設置され、前記ヘルメットチャンバ１１の左端壁の中には蓄電池６３が固定的に設置され、前記蓄電池６３の右側には駆動溝１３が設置され、前記駆動溝１３の右端壁の中にはモータ３６が固定的に設置され、前記モータ３６が前記蓄電池６３と通電できるように連結され、前記モータ３６の左端には駆動ギヤ１４が動力が伝達できるように連結され、前記駆動溝１３の下側には環状のスライドチャンバ１２が連通するように設置され、前記スライドチャンバ１２の下端が外部空間に連通しており、前記スライドチャンバ１２の中には前記駆動ギヤ１４と噛み合っているスライダ１５がスライドできるように設置され、前記スライダ１５の上端面の中にはロック溝１６が設置され、前記ロック溝１６の下側には噛み合い溝１８が設置され、前記噛み合い溝１８の中には下端が外部空間に伸びている固定軸２０が回転できるように設置され、前記噛み合い溝１８の中の前記固定軸２０には第一ベベルギヤ１９が固定的に設置され、前記第一ベベルギヤ１９の左端面には第二ベベルギヤ２６が噛み合うように連結され、前記第二ベベルギヤ２６の軸心のところには右端が前記噛み合い溝１８の右端壁と回転できるように連結されたギヤ回転軸２９が固定的に設置され、前記スライドチャンバ１２の外側には転向調節装置が設置され、前記ギヤ回転軸２９が前記転向調節装置と動力が伝達できるように連結され、前記固定軸２０の下端面にはビデオ通話ブロック２１が固定的に設置され、前記ビデオ通話ブロック２１が前記安全ヘルメット外殻１０の下側位置に位置しており、前記ビデオ通話ブロック２１の中にはビデオ通話装置２００が設置され、前記ヘルメットチャンバ１１の右端壁の中には外部空間に連通している環状溝５７が設置され、前記環状溝５７の中には環状板６がスライドできるように設置され、前記環状板６１の右端には照明灯４４が設置され、前記照明灯４４が前記蓄電池６３と通電できるように連結され、前記環状溝５７の左側には同期ロック装置が設置され、前記環状板６１の左端が前記同期ロック装置と固定的に連結され、前記同期ロック装置が前記スライダ１５とロックできるように連結され、前記照明灯４４が暗い環境で作業する時に照明でき、前記ビデオ通話ブロック２１が前記安全ヘルメット外殻１０を回って回転して周りの環境を撮影でき、且つ画面をリアルタイムに外部に伝送し、前記同期ロック装置は前記照明灯４４と前記ビデオ通話ブロック２１とを連結する時、前記照明灯が同期照明できる。
【００１４】
有益的には、前記転向調節装置は前記スライドチャンバ１２に連通している環状の転向チャンバ２７を含み、前記ギヤ回転軸２９の左端には噛み合いギヤ２８が固定的に設置され、前記転向チャンバ２７の中にはリングギヤ３０がスライドできるように設置され、前記リングギヤ３０が前記噛み合いギヤ２８と噛み合うことができ、前記転向チャンバ２７の左右端壁の中には環状の昇降ガイド溝３２が連通するように設置され、前記リングギヤ３０の左右端には前記昇降ガイド溝３２とスライドできるように連結された昇降ガイドブロック３１が固定的に設置され、前記転向チャンバ２７の下側には半環状の推し溝３５が設置され、前記推し溝３５の中には左右対称の推しブロック３３が設置され、前記推しブロック３３の上端が前記リングギヤ３０と当接しており、前記推しブロック３３の前端面の間にはコンロッド３４が固定的に連結され、前記推し溝３５の右側には回転装置４００が設置され、右側の前記推しブロック３３が前記回転装置４００と噛み合うように連結され、前記リングギヤ３０が上昇して前記噛み合いギヤ２８と噛み合う時、前記ビデオ通話ブロック２１が前記安全ヘルメット外殻１０に沿って公転する過程の中に自転してビデオ通話の方向を調節する。
【００１５】
有益的には、前記回転装置４００は前記推し溝３５と外部空間とを連通している伝動チャンバ３７を含み、前記伝動チャンバ３７の中には回転軸４３により伝動ギヤ３９が回転できるように設置され、前記伝動ギヤ３９が右側の前記推しブロック３３と噛み合い、前記回転軸４３のうち前記伝動ギヤ３９の前側に位置しているところにはウォームホイール３８が固定的に設置され、前記ウォームホイール３８の右側にはウォーム４０が噛み合うように連結され、前記ウォーム４０の軸心のところには連結軸４１が固定的に設置され、前記連結軸４１の下端が外部空間に伸びており、且つ前記連結軸４１の下端には第一回転ブロック４２が固定的に設置され、前記第一回転ブロック４２を回転させて伝動により前記推しブロック３３を昇降させ、前記リングギヤ３０と前記噛み合いギヤ２８との噛み合いと離脱を調節する。
【００１６】
有益的には、前記ビデオ通話装置２００は前記ビデオ通話ブロック２１の右端面の中に固定的に設置されたカメラ２２を含み、前記カメラ２２の下側にはヘッドセット２３が設置され、前記ヘッドセット２３の左側には情報プロセッサ２４が設置され、前記情報プロセッサ２４の下側には取り外すことができる情報メモリーカード２５が設置され、前記ビデオ通話ブロック２１にある部品がいずれも前記蓄電池６３と通電できるように連結され、前記カメラ２２が撮影でき、前記ヘッドセット２３が音声を送ることができ、得た情報を前記情報メモリーカード２５の中に保存し、また前記情報プロセッサ２４により外部に輸送する。
【００１７】
有益的には、前記同期ロック装置は前記環状溝５７に連通している回転チャンバ４５を含み、前記回転チャンバ４５の中には第二回転ブロック４６が設置され、前記環状板６１の左端が前記第二回転ブロック４６と固定的に連結され、前記回転チャンバ４５の中の前記環状板６１には当接板６０がスライドできるように設置され、前記当接板６０と前記第二回転ブロック４６との間には捻りバネ５９が固定的に設置され、前記第二回転ブロック４６の中にはスライド溝４７が設置され、前記スライド溝４７の中にはロックブロック４８がスライドできるように設置され、前記ロックブロック４８が前記ロック溝１６と引っかかるように連結されることができ、前記ロックブロック４８の右端と前記スライド溝４７との間には圧縮バネ４９が固定的に設置され、前記ロックブロック４８の上端面にはガイドスライドブロック５０が固定的に設置され、前記スライド溝４７の下側には引っ掛かり溝５１が設置され、前記環状溝５７の下端壁の中には圧し溝５５が連通するように設置され、前記圧し溝５５の中には上端が前記環状板６１と当接する圧しブロック５６がスライドできるように設置され、前記圧しブロック５６の左端面には前記圧しブロック５６を復帰させることができる復帰組み合わせ５８が固定的に設置され、前記圧し溝５５と前記回転チャンバ４５との間には引っ掛かりブロック５２がスライドできるように設置され、前記引っ掛かりブロック５２の左端が前記引っ掛かり溝５１の中に伸びており、且つ前記引っ掛かりブロック５２の上端面には伸縮バネ５３が固定的に設置され、前記引っ掛かりブロック５２の中には連通溝５４が設置され、前記連通溝５４が前記圧しブロック５６の下端と当接しており、前記引っ掛かりブロック５２の後端面には前記引っ掛かりブロック５２を復帰させることができる復帰部品６２が固定的に設置され、前記伸縮バネ５３が前記第二回転ブロック４６を支持し、且つ前記伸縮バネ５３が圧縮されることにより前記第二回転ブロック４６が下降する過程において前記引っ掛かりブロック５２の水平移動変位を平衡させ、前記環状板６１を下方へ押して前記第二回転ブロック４６と前記スライダ１５とをロックするように連結し、これにより前記スライダ１５が回転して前記カメラ２２と前記照明灯４４とを同期回転させる。
【００１８】
初期状態において、駆動ギヤ１４がスライダ１５と噛み合っており、噛み合いギヤ２８がリングギヤ３０と連結されていない。
【００１９】
作動する時、夜又は暗い環境で作業する時、照明灯４４が照明でき、ビデオ通話をする時、モータ３６が作動し、駆動ギヤ１４が回転し、これによりスライダ１５がスライドチャンバ１２に沿って回転し、カメラ２２の撮影方位を調節し、第一回転ブロック４２を回転させ、これによりウォーム４０が伝動ギヤ３９を連動させて回転させ、推しブロック３３が上昇してリングギヤ３０を推し動かして噛み合いギヤ２８と噛み合わせ、これによりスライダ１５が回転し、噛み合いギヤ２８が回転し、これにより第一ベベルギヤ１９がビデオ通話ブロック２１を連動させて回転させ、これによりカメラ２２が自転して角度を調節でき、情報プロセッサ２４により外部空間のディスプレー装置に通じ、カメラ２２が作業環境をリアルタイムに外部空間に出力し、ヘッドセット２３により音声通話をして作業する時の問題をリアルタイムに報告し、ビデオ通話ブロック２１を回転チャンバ４５の下側の対応した位置まで回転させ、照明灯４４を下方へ圧し、環状板６１が圧しブロック５６を押して下降させ、これにより引っ掛かりブロック５２が右方へ移動して引っ掛かり溝５１から離脱し、これにより第二回転ブロック４６が昇降でき、照明灯４４を継続して下降させ、これによりロックブロック４８がロック溝１６と引っかかるように連結されるまで下降し、これによりスライダ１５が回転して照明灯４４とビデオ通話ブロック２１とを連動させて同期回転させ、カメラ２２のビデオ通話の解像度を上げ、第二回転ブロック４６とスライダ１５とをアンロックする時、右方へ照明灯４４を引き動かし、これにより第二回転ブロック４６がロック溝１６との引っ掛かり状態から離脱した後、照明灯４４を上方へ推し、これにより第二回転ブロック４６が回転チャンバ４５の中まで上昇し、引っ掛かりブロック５２が左方へ移動して引っ掛かり溝５１と引っ掛かるように連結され、装置が初期状態に戻る。
【００２０】
本発明の有益効果は：本発明は構成が簡単で、操作が便利で、ビデオ装置がヘルメットの外殻の下側に沿って回転でき、作業環境を自動的に撮り、ビデオブロックが回転過程において自転でき、これにより撮影の角度を調節でき、且つ照明灯により画面の解像度を上げ、作業実況をリアルタイムに伝送できる。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。